(57)【要約】【課題】入力作業を行うことなく、簡単にＷＥＢページを作成更新することができる方法と装置及びプログラムを提供する。【解決手段】送信側は、ＦＡＸ送信機器（１１００）で、書面をＦＡＸ送信する。受信側パソコン（１２００）では、ＦＡＸ受信ソフトウェア（１２１１）が、ＦＡＸモデム（１２１２）を制御して、このデータを画像データとして受信する。そして、画像アップロードソフトウェア（１２２１）が、この画像データをそのままＷＥＢサーバ（１３００）にアップロードする。【選択図】        図１
2009105781.tif 000002
【特許請求の範囲】
【請求項１】
電信また便によって受信した書面を画像データとしてＷＥＢサーバに保存することで、書面画像データをそのままＷＥＢコンテンツとするＷＥＢページ作成更新方法。
【請求項２】
受信書面中に記載された書面種別情報また受信ＦＡＸ番号また発信ＦＡＸ番号また送信側から発せられたプッシュまたはトーン信号をもとに書面種別を判別し、また書面種別に応じて保存先を決定し、また、この書面種別情報をインデックスとして付加して書面を画像データとして保存しまた書面画像データにこの書面種別を示すファイル名をつけて保存し、また、保存に先立ち画像の形式またサイズを変換することを特徴とする請求項１記載のＷＥＢページ作成更新方法。
【請求項３】
請求項１記載のＷＥＢページ作成更新方法で保存した画像を閲覧するための方法であって、請求項１記載のＷＥＢページ作成更新方法により保存した保存先の画像の中でファイル名に特定の文字を含むもののみを表示し、またこの保存先の画像をファイル名の順番にしたがって表示し、また、この保存先の画像を表示し終えた場合にはその旨を表示しまた最初の画像に戻って表示することを特徴とする作成更新ＷＥＢページ表示方法。
【請求項４】
ＦＡＸ送信された書面を画像として受信する受信手段また書面を画像として取り込む画像取り込み手段と、書面画像にファイル名をつけＷＥＢサーバに保存する保存手段と、受信手段また画像取り込み手段また保存手段の処理を制御する制御手段とを備えることを特徴とするＷＥＢページ作成更新装置。
【請求項５】
受信手段が受信した書面画像また画像取り込み手段が取り込んだ書面画像に記載された書面種別情報を確認することで書面の種別を認識しまた送信側から発せられたプッシュ信号またトーン信号を確認することで書面の種別を認識しまた書面種別に応じて保存先を決定する判別手段を備え、制御手段が判別手段を制御して保存先を決定し制御手段が保存手段を制御して書面画像をその保存先に保存し、また制御手段が保存手段を制御して書面画像に書面種別を示すファイル名をつけて保存し、また書面画像に書面種別に関する情報をインデックスとして付加して保存し、また、画像の形式を変換する画像変換手段を備え、書面画像を保存するに先立ち、制御手段が画像変換手段を制御して書面画像の形式またサイズを変換することを特徴とする請求項４記載のＷＥＢページ作成更新装置。
【請求項６】
請求項４記載のＷＥＢページ作成更新装置で保存した画像を閲覧するための装置であって、請求項４記載のＷＥＢページ作成更新装置により保存した保存先の画像の中でファイル名に特定の文字を含むもののみを表示し、またこの保存先の画像をファイル名の順番にしたがって表示し、またこの順番とはファイル名の数字また英字の順番であって、またこの保存先のすべての画像を表示し終えた場合にはその旨を表示しまた最初の画像に戻って表示することを特徴とする作成更新ＷＥＢページ表示装置。
【請求項７】
ＦＡＸ送信された書面を画像として受信し保存することで、ＦＡＸ受信した書面画像をそのままＷＥＢコンテンツとすることを可能とするＷＥＢページ作成更新コンピュータプログラムであって、ＦＡＸ受信する第１のステップと、ＦＡＸ受信した書面画像をＷＥＢサーバに保存する第２のステップとを備えることを特徴とするＷＥＢページ作成更新コンピュータプログラム。
【請求項８】
書面画像をそのままＷＥＢコンテンツとすることを可能とするＷＥＢページ作成更新コンピュータプログラムであって、書面を画像として取り込む第１のステップと、画像データをＷＥＢサーバに保存する第２のステップとを備えることを特徴とするＷＥＢページ作成更新コンピュータプログラム。
【請求項９】
第２のステップが、書面画像中に記載された書面種別に関する情報を確認しまた送信側から発せられたプッシュ信号またトーン信号を確認することで書面種別を判別し保存先を決定する処理を備え、また、第２のステップが、画像の形式またサイズを変換する処理を備えることを特徴とする請求項７また請求項８記載のＷＥＢページ作成更新コンピュータプログラム。
【請求項１０】
ＦＡＸ受信した書面画像とは、ＦＡＸ送信された書面画像データが電子メールで受信可能なデータ形式に変換されたものであることを特徴とする請求項４また請求項７記載のＷＥＢページ作成更新装置またコンピュータプログラム。
【請求項１１】
ＣＡＤで作成された外観また内観のコンピューターグラフィックをそのままＷＥＢコンテンツとすることを可能とするＷＥＢページ作成更新コンピュータプログラムであって、ＣＡＤで作成された外観また内観のコンピューターグラフィックを再生しこれをキャプチャーする第１のステップと、キャプチャーした画像をＷＥＢで再生可能なファイル形式で保存する第２のステップとを必須として備え、またこのファイルをＷＥＢサーバにアップロードする第３のステップを選択的に備えることを特徴とするＷＥＢページ作成更新コンピュータプログラム、また、ＣＡＤで作成された外観また内観のコンピューターグラフィックとは３次元また動画であってまたキャプチャーした画像とはとは３次元また動画であることを特徴とするＷＥＢページ作成更新コンピュータプログラム。
【請求項１２】
商品と商品の説明を記載したプレートとを一緒に撮った写真をアップロードすることで商品写真をそのままＷＥＢコンテンツとするＷＥＢページ作成更新方法、また、書面とは商品と商品の説明を記載したプレートとを一緒に撮った写真であってまたこのプレートとは文字を消すことで繰り返し使用できるものであってまたこのプレートに記載した商品の説明とは商品の価格また連絡先であることを特徴とする請求項１記載また請求項４記載また請求項７記載の請求項８記載のＷＥＢページ作成更新方法また装置またコンピュータプログラム。
【請求項１３】
ＣＡＤで作成された外観また内観のコンピューターグラフィックを静止画または動画としてそのままあるいはキャプチャーしＷＥＢコンテンツとするＷＥＢページ作成更新方法、また、ＣＡＤで作成された外観また内観のコンピューターグラフィックをもとにペーパークラフト展開図を作成するペーパークラフト作成方法またこの方法で作成したペーパークラフト展開図をＷＥＢコンテンツとするＷＥＢページ作成更新方法、また、書面とは３次元ＣＡＤで作成された外観また内観のコンピューターグラフィックをキャプチャーしたものであることを特徴とする請求項１記載また請求項４記載また請求項７記載の請求項８記載のＷＥＢページ作成更新方法また装置またコンピュータプログラム。
【請求項１４】
絵画調に加工した肖像写真をＷＥＢコンテンツに利用するＷＥＢページ作成更新方法、また、書面とは絵画調に加工した肖像の写真であることを特徴とする請求項１記載また請求項４記載また請求項７記載の請求項８記載のＷＥＢページ作成更新方法また装置またコンピュータプログラム。
【請求項１５】
入力フォームと文字入力ボタンとを備え前記ボタンをクリックすると前記入力フォームに該当文字が入力される入力フォームページ、また、ＷＥＢサーバにこの入力フォームページが保存されることを特徴とする請求項１記載また請求項４記載また請求項７記載の請求項８記載のＷＥＢページ作成更新方法また装置またコンピュータプログラム。
【請求項１６】
あらかじめ学習用のソフトウェア又動画又インターネット電話またこれらへのリンクを保存またインストールしたパソコンを提供するパソコン操作又ＷＥＢページ作成更新法教授方法、また前記学習用のソフトウェア又動画とはパソコン又キーボードの操作またＷＥＢページの作成又作成更新の方法の学習又練習のソフトウェア又動画である前記パソコン操作又ＷＥＢページ作成更新法教授方法、またパソコンを起動時に前記学習用のソフトウェア又動画又インターネット電話を自動起動する前記パソコン操作又ＷＥＢページ作成更新法教授方法、また前記のパソコンを提供するとはパソコンの貸し出しである前記パソコン操作又ＷＥＢページ作成更新法教授方法、また、ＷＥＢコンテンツの雛型を提供しこの修正方法を教授することによりＷＥＢコンテンツの作成又作成更新の方法を教授するＷＥＢページ作成更新法教授方法、また、キーボードの操作練習に際して押すキーの位置により音声の強弱また高低またいずれのスピーカーから出力するかを変更する教授方法、また、同一の内容について難易度の異なる説明文また画像を数種用意し学習者のスキルレベルによって表示する文また画像を変更する教授方法。
【発明の詳細な説明】
【技術分野】
【０００１】
本発明は、既存のデータをそのままＷＥＢコンテンツとして利用する方法と装置及びプログラムの提供、また、前記ＷＥＢコンテンツを閲覧する方法と装置、また、これらやその他のパソコン操作方法の教授方法に関するものである。
【背景技術】
【０００２】
従来、ＷＥＢコンテンツの作成更新は手作業により行われていたが、非常に手間がかかった。そこで、フォームに文章を入力するだけで作成更新できるブログなども広く利用されるようになったが、キーボードが得意でない者にとって作成更新は簡単な作業ではなかった。
また、ＦＡＸ送信されたデータを画像としてパソコンで受信するソフトウェアがあった。さらに、この受信画像データをテキストデータやＨＴＭＬ等に自動変換するなど処理したうえで、ＷＥＢページの作成更新に用いる装置があった。しかし、特に家庭用の安価なＦＡＸで送信された画像は、鮮明とは限らず、文字が誤って変換されることが少なくなく、人手による確認と修正が必要となり、さらに、ミスに気付かずにそのままＷＥＢ上に公開してしまう危険があった。また、ＦＡＸ受信した文字が手書きの場合は、自動変換することは困難であった。
そもそも、画像データをＨＴＭＬ等に変換しなくても、画像データをそのままＷＥＢブラウザで表示することができ、画像データをそのまま表示したほうが、変換ミス等の心配がなくてよい場合もある。
しかし、受信画像データをテキストデータやＨＴＭＬ等に変換せずにそのままＷＥＢページの作成更新に用いる方法はなかった。
また、建物の設計はＣＡＤで行われるのが普通であるが、ＣＡＤは外観また内観を３Ｄのコンピューターグラフィックで再生することができるのが普通である。しかし、ＣＡＤデータは、ファイル形式が特殊なこともあり、ほとんど設計段階だけで利用され、これらのデータが売買段階でＷＥＢコンテンツとして利用されることはなかった。
さらに、ネットショップなどは、注文などに用いる入力フォームを備えるのが一般的であるが、入力初心者がキーボードを使用して入力フォームに氏名や住所などを入力することは難しい場合があった。
また、キーボードやパソコンの使用方法、ＷＥＢコンテンツの作成更新方法について、学習ソフトウェアや動画などで自習することも可能であったが、パソコン操作に慣れていない者にとっては、学習ソフトをインストールし動画再生ソフトをダウンロードすることは難しかった。さらに、インターネットテレビ電話等で通話時間を気にせずサポートをうけながら学習することも可能であったが、インターネット電話をセッティングすることはさらに難しかった。
また、表示装置に表示された文字に対応した文字の入力を要求する教授方法で、入力に際して音声が再生される練習ソフトなどはあったが、その音声により練習を支援する効果的な方法はなかった。
さらに、従来、市販されてきた教材ビデオ等は、「インターネット初歩」「インターネット中級」といったように学習者のレベルに合わせて複数のビデオが用意されることがあったが、これらは、レベルに合わせて学習範囲が異なるだけであり、同一の学習範囲について初心者にはやさしく、中級者には要約して説明するものではなかった。
【特許文献１】特許公開２００２−５５９２１
【特許文献２】特許公開２０００２１５１４１
【発明の開示】
【発明が解決しようとする課題】
【０００３】
本発明は、以上のような従来の問題を克服し、説明の記入された文書や写真、ＣＡＤで作成された外観また内観の３Ｄコンピューターグラフィックなど、出来合いのコンテンツを、そのまま画像としてアップロードすることにより、ＷＥＢコンテンツの作成と作成更新の省力化をはかる。また、ＷＥＢコンテンツの作成や作成更新の効率的な学習方法なども提供する。また、同一の学習範囲について、学習者のスキルレベルに合わせた説明を行う教材等も提供する。
【課題を解決するための手段】
【０００４】
請求項１記載の発明は、ＦＡＸなどの電信や郵便や宅急便などによって受信した書面を、画像データとしてＷＥＢサーバに保存することで、書面画像データをそのままＷＥＢコンテンツとするＷＥＢページ作成更新方法である。
【０００５】
請求項２記載の発明は、以下を特徴とする請求項１記載のＷＥＢページ作成更新方法である。
たとえば、受信した書面中に記載された書面種別情報をもとに書面種別を判別する。または、受信ＦＡＸ番号また発信ＦＡＸ番号をもとに書面種別を判別する。または、送信側から発せられたプッシュまたはトーン信号をもとに書面種別を判別する。
そして、書面種別に応じて保存先を決定する。
また、この書面種別情報をインデックスとして付加して書面を画像データとして保存してもよい。また、書面画像データに、この書面の種別を示すファイル名をつけて保存してもよい。
また、保存に先立ち画像の形式またサイズを変換してもよい。
【０００６】
請求項３記載の発明は、以下を特徴とする作成更新ＷＥＢページ表示方法であって、請求項１記載のＷＥＢページ作成更新方法で保存した画像を閲覧するための方法である。
すなわち、たとえば、請求項１記載のＷＥＢページ作成更新方法により保存した保存先の画像の中で、ファイル名に特定の文字を含むもののみを表示する。
あるいは、請求項１記載のＷＥＢページ作成更新方法により保存した保存先の画像を、ファイル名の順番にしたがって表示する。（ちなみに、この順番とは、たとえばファイル名の数字また英字の順番であってもよい。）
また、請求項１記載のＷＥＢページ作成更新方法により保存した保存先のすべての画像を表示し終えた場合には、その旨を表示し、あるいは最初の画像に戻って表示してもよい。
【０００７】
請求項４記載の発明は、以下を特徴とするＷＥＢページ作成更新装置である。
ＦＡＸ送信された書面を画像として受信する受信手段を備え、あるいはスキャナーなど書面を画像として取り込む画像取り込み手段を備える。
そして、書面画像にファイル名をつけＷＥＢサーバに保存する保存手段を備える。
さらに、受信手段また画像取り込み手段また保存手段の処理を制御する制御手段を備える。
【０００８】
請求項５記載の発明は、以下を特徴とする請求項４記載のＷＥＢページ作成更新装置である。
書面の種別を認識し、書面種別に応じて保存先を決定する判別手段を備える。
そして、たとえば、制御手段が判別手段を制御して、保存先を決定する。
具体的には、まず、判別手段は、たとえば、受信手段が受信した書面画像に記載された書面種別情報を確認することで、書面の種別を認識する。または、たとえば、画像取り込み手段が取り込んだ書面画像に記載された書面種別情報を確認することで、書面の種別を認識する。あるいは、たとえば、送信側から発せられたプッシュ信号またトーン信号を確認することで書面の種別を認識する。そして、判別手段は、たとえば、この書面種別に応じて、保存先を決定する。
そして、制御手段が保存手段を制御して書面画像をその保存先に保存するが、この際、たとえば、制御手段が保存手段を制御して、書面画像に書面種別を示すファイル名をつけて保存する。また、たとえば、制御手段が保存手段を制御して、書面画像に書面種別に関する情報をインデックスとして付加して保存する。
また、画像の形式を変換する画像変換手段を備え、書面画像を保存するに先立ち、制御手段が画像変換手段を制御して書面画像の形式またサイズを変換してもよい。
【０００９】
請求項６記載の発明は、請求項４記載のＷＥＢページ作成更新装置で保存した画像を閲覧するための装置であって、以下を特徴とする作成更新ＷＥＢページ表示装置である。
たとえば、請求項４記載のＷＥＢページ作成更新装置により保存した保存先の画像の中で、ファイル名に特定の文字を含むもののみを表示する。
あるいは、たとえば、請求項４記載のＷＥＢページ作成更新装置により保存した保存先の画像を、ファイル名の順番にしたがって表示する。そして、この順番とは、たとえば、ファイル名の数字また英字の順番である。
また、たとえば、請求項４記載のＷＥＢページ作成更新装置により保存した保存先のすべての画像を表示し終えた場合には、その旨を表示し、また、最初の画像に戻って表示する。
【００１０】
請求項７記載の発明は、ＦＡＸ送信された書面を画像として受信し保存することで、ＦＡＸ受信した書面画像をそのままＷＥＢコンテンツとすることを可能とするＷＥＢページ作成更新コンピュータプログラムである。
具体的には、ＦＡＸ受信する第１のステップと、ＦＡＸ受信した書面画像をＷＥＢサーバに保存する第２のステップを備えることを特徴とするＷＥＢページ作成更新コンピュータプログラムである。
【００１１】
請求項８記載の発明は、書面画像をそのままＷＥＢコンテンツとすることを可能とするＷＥＢページ作成更新コンピュータプログラムである。
具体的には、書面を画像として取り込む第１のステップと、画像データをＷＥＢサーバに保存する第２のステップを備えることを特徴とするＷＥＢページ作成更新コンピュータプログラムである。
【００１２】
請求項９記載の発明は、以下を特徴とする請求項７また請求項８記載のＷＥＢページ作成更新コンピュータプログラムである。
すなわち、たとえば、第２のステップが、書面画像中に記載された書面種別に関する情報を確認することで保存先を決定する処理を備える。
あるいは、たとえば、第２のステップが、送信側から発せられたプッシュ信号またトーン信号を確認することで書面種別を確認し保存先を決定する処理を備える。
また、たとえば、第２のステップが、画像の形式またサイズを変換する処理を備える。
【００１３】
請求項１０記載の発明は、以下を特徴とする請求項４また請求項７記載のＷＥＢページ作成更新装置またコンピュータプログラムである。
すなわち、「ＦＡＸ受信した書面画像」とは、ＦＡＸ送信された書面画像データを電子メールにより受信したものである。
【００１４】
請求項１１記載の発明は、以下を特徴とするＷＥＢページ作成更新コンピュータプログラムである。
ＣＡＤで作成された外観また内観のコンピューターグラフィックをそのままＷＥＢコンテンツとすることを可能とするＷＥＢページ作成更新コンピュータプログラムである。
すなわち、ＣＡＤで作成された外観や内観の（たとえば３次元の）コンピューターグラフィックを（たとえば動かして）再生し、これを（たとえば動画として）キャプチャーする第１のステップを必須として備える。
また、キャプチャーした画像をＷＥＢで再生可能なファイル形式で保存する第２のステップを必須として備える。
さらに、このファイルをＷＥＢサーバにアップロードする第３のステップを選択的に備える。
【００１５】
請求項１２記載の発明は、商品と商品の説明を記載したプレートとを一緒に撮った写真をアップロードすることで、商品写真をそのままＷＥＢコンテンツとするＷＥＢページ作成更新方法である。
また、「書面」とは商品と商品の説明を記載したプレートとを一緒に撮った写真であることを特徴とする請求項１記載また請求項４記載また請求項７記載の請求項８記載のＷＥＢページ作成更新方法また装置またコンピュータプログラムである。
そして、このプレートとは、文字を消すことで繰り返し使用できるものであってよい。また、このプレートに記載した商品の説明とは、商品の価格また連絡先であってよい。
【００１６】
請求項１３記載の発明は、ＣＡＤで作成された外観また内観のコンピューターグラフィックを静止画または動画としてそのままあるいはキャプチャーすることでＷＥＢコンテンツとするＷＥＢページ作成更新方法である。
また、ＣＡＤで作成された外観また内観のコンピューターグラフィックをもとにペーパークラフト展開図を作成するペーパークラフト作成方法、また、この方法で作成したペーパークラフト展開図をＷＥＢコンテンツとするＷＥＢページ作成更新方法である。
また、「書面」とは、３次元ＣＡＤで作成された外観また内観のコンピューターグラフィックをキャプチャーしたものであることを特徴とする請求項１記載また請求項４記載また請求項７記載の請求項８記載のＷＥＢページ作成更新方法また装置またコンピュータプログラムである。
【００１７】
請求項１４記載の発明は、絵画調に加工した肖像写真をＷＥＢコンテンツに利用するＷＥＢページ作成更新方法である。
また、「書面」とは、絵画調に加工した肖像の写真であることを特徴とする請求項１記載また請求項４記載また請求項７記載の請求項８記載のＷＥＢページ作成更新方法また装置またコンピュータプログラムである。
【００１８】
請求項１５記載の発明は、入力フォームと文字入力ボタンとを備え、前記ボタンをクリックすると前記入力フォームに該当文字が入力される入力フォームページ、また、ＷＥＢサーバにこの入力フォームページが保存されることを特徴とする請求項１記載また請求項４記載また請求項７記載の請求項８記載のＷＥＢページ作成更新方法また装置またコンピュータプログラムである。
【００１９】
請求項１６記載の発明は、あらかじめ学習用のソフトウェアや動画やインターネット電話をインストールしたパソコンを提供するパソコン操作教授方法またはＷＥＢページ作成更新法教授方法である。
あるいは、学習用のソフトウェアや動画やインターネット電話へのショートカットなどのリンクを保存したパソコンを提供するパソコン操作教授方法またはＷＥＢページ作成更新法教授方法である。
また、前記「学習用のソフトウェアや動画」とは、たとえば、パソコンやキーボードの操作あるいはＷＥＢページの作成や作成更新の方法の学習や練習のソフトウェアや動画である前記パソコン操作教授方法またはＷＥＢページ作成更新法教授方法である。
さらに、パソコンを起動すると前記「学習用のソフトウェアや動画やインターネット電話」が自動的に起動する前記パソコン操作教授方法またはＷＥＢページ作成更新法教授方法である。
また、前記の「パソコンを提供する」とはパソコンの貸し出しである前記パソコン操作やＷＥＢページ作成更新法の教授方法である。
また、ＷＥＢコンテンツのデザインテンプレートを提供し、このテンプレートの修正方法を教授することにより、ＷＥＢコンテンツの作成又作成更新の方法を教授するＷＥＢページ作成更新法教授方法である。
また、キーボードの操作練習に際して押すキー位置により音声の強弱また高低またいずれのスピーカーから出力するかを変更する教授方法である。
また、同一の内容について難易度の異なる説明文また画像を数種用意し学習者のスキルレベルによって表示する文また画像を変更する教授方法である。
【発明の効果】
【００２０】
ＷＥＢは、大企業だけでなく中小企業や個人商店などでも、営業手段のメインとなりつつある。しかし、毎日更新が必要な業種も少なくなく、この更新作業が大きな負担となっている。特に個人商店では、専門社員の採用や外注なども費用的に難しく、なかなか更新することができず、数ヶ月前や数年前の古い情報が掲載されていることも珍しくない。
そこで、ブログのみを公開また更新し、更新の負担を軽減しようとする企業も少なくないようである。しかし、ＷＥＢページを公開・更新しないということは、企業のイメージ戦略上得策とは言えない。また、入力が得意な若い社員などがいない個人商店などでは、ブログも徐々に更新しなくなるといった傾向があるようである。
ところで、個人商店などでは、メールではなくＦＡＸや郵便が、連絡手段として一般的である。
本発明は、これらの連絡手段を使用して、簡単にＷＥＢコンテンツを作成更新する方法及び装置を提供する。
例えば、不動産業ならば、店舗の前にはってある不動産の物件情報をはがしてそのままＦＡＸ送信するだけで、これがそのままＷＥＢコンテンツとなる。
また、価格や電話番号等をホワイトボードに書き、これを商品の前において、商品とともに写真に撮り、この写真をそのままアップロードすることで、新たに商品を入荷したとき、即座にＷＥＢページを更新できる。特に、大量の商品が日々入れ替わる業種では効果が大きい。
しかし受信画像データを、そのままアップロードすると、画像が増えるに従って、閲覧者が目的の情報の記載された画像を見つけにくくなる。そこで（通常は、画像データをアップロードする場合、その画像と共に、その画像の説明文を記載したＨＴＭＬファイル等も一緒にアップロードすることで、閲覧者が目的の情報の画像を見つけやすくするが、その代わりに）ＷＥＢサーバ上に、複数のディレクトリを作り、画像の種別ごとに別々のディレクトリに保存し、または、ファイルに画像の種別を示す名前をつけてアップロードすることにより、閲覧者が目的の画像を探すことを容易にする。
【００２１】
ところで、不動産売買のＷＥＢコンテンツでは、建物の外観や内観を写真やビデオに撮って編集して公開することがあるが、この方法は金銭的また時間的に非常に負担が大きい。ところで、設計はＣＡＤで行われるのが普通であるが、ＣＡＤは外観また内観を３Ｄのコンピューターグラフィックで再生することができるのが普通である。そこで、その画像を、そのままキャプチャーしてＷＥＢコンテンツとすることにより、簡易また安価に動画コンテンツを作成することを可能にする。
【００２２】
また、パソコン操作やＷＥＢページの作成更新方法について学習するソフトウェアや動画などをあらかじめパソコンにインストールし、またさらに、（パソコンにマイクやカメラを接続し）パソコンを起動すると学習ソフトウェアや動画やカメラが自動的に起動するようにセッティングした状態でパソコンを貸し出することで、初心者でも無理なく、インターネットテレビ電話でサポートを受けながらパソコン操作やＷＥＢページの作成更新方法を修得できる。
また、ＷＥＢコンテンツの作成方法を最初から説明するのではなく、すでに出来上がった雛型の修正方法を説明することにより、初心者でも短時間で実用可能な本格的なＷＥＢコンテンツを作成できるように指導でき、その後の更新も自分で行うことが可能となる。
また、キーボードの操作練習に際して、押すキーの位置により音声の強弱や左右いずれのスピーカーから出力するか変更することにより、視覚だけでなく聴覚も利用した練習が可能となり、これにより短期での上達が可能となる。
また、同一の内容について難易度の異なる説明文や画像を数種用意し、学習者のスキルレベルによって表示する文また画像を変更することで、同一教材で、あらゆるレベルの者が学習可能となる。
【発明を実施するための最良の形態】
【００２３】
以下、本発明の実施例を図１、図２、図３、図４、図５、図６に従って説明する。
【実施例１】
【００２４】
本装置は、送信側ＦＡＸ送信機器（１１００）と、受信側パソコン（１２００）と、ＷＥＢサーバ（１３００）とから構成される。
そして、受信側パソコン（１２００）は、ＦＡＸモデム（１２１２）とＦＡＸ受信ソフトウェア（１２１１）と画像アップロードソフトウェア（１２２１）とを備える。
そして、送信側ＦＡＸ送信機器（１１００）から送信された書面を（４００１）、受信側パソコン（１２００）のＦＡＸ受信ソフトウェア（１２１１）がＦＡＸモデム（１２１２）を制御して受信し（４００２）、画像アップロードソフトウェア（１２２１）がＷＥＢサーバ（１３００）へアップロードする（４００３）。
【００２５】
または、本装置は、送信側ＦＡＸ送信機器（２１００）と、受信側ＷＥＢサーバ（２３００）とから構成される。
そして、受信側ＷＥＢサーバ（２３００）は、ＦＡＸモデム（２３１２）とＦＡＸ受信ソフトウェア（２３１１）と画像保存ソフトウェア（２３２１）とを備える。
送信側ＦＡＸ送信機器（２１００）から送信された書面を（５００１）、受信側ＷＥＢサーバ（２３００）のＦＡＸ受信ソフトウェア（２３１１）がＦＡＸモデム（２３１２）を制御して受信し（５００２）、画像保存ソフトウェア（２３２１）がインターネットを介して閲覧可能なディレクトリに保存する（５００３）。
【００２６】
または、本装置は、送信側ＦＡＸ送信機器（３１００）と、ＦＡＸデータ受信しこれを電子メールデータに変換して再送信するＦＡＸサーバ（３１１０）と、受信側パソコン（３２００）と、ＷＥＢサーバ（３３００）とから構成される。
そして、受信側パソコン（３２００）は電子メール受信ソフトウェア（３２１１）と画像アップロードソフトウェア（３２２１）とを備える。
送信側ＦＡＸ送信機器（３１００）から送信された書面を（６００１）、ＦＡＸサーバ（３１１０）が受信して電子メールで送信可能な画像データに変換してこれを再送信し（６００２）、受信側パソコン（３２００）の電子メール受信ソフトウェア（３２１１）がこれを受信し（６００３）、画像アップロードソフトウェア（３２２１）がＷＥＢサーバ（３３００）へアップロードする（６００４）。
【００２７】
４００１、５００１、６００１の送信処理については、例えば、不動産業ならば、店舗の前にはってある不動産の物件情報をはがしてそのままＦＡＸ送信すればよい。
ただし、不動産の物件情報がカラーの写真を含むような場合には、ＦＡＸ送信してしまうと白黒になってしまうため、郵便や宅急便で送ってもよい。この場合受信側は、この書面をスキャナーでパソコンに取り込み、ＷＥＢサーバにアップロードする。
【００２８】
送信側は、送信しようとする書面に、書面の種別に関する情報を文字またマークによって記述し、これを送信側ＦＡＸ送信機器（１１００、２１００、３１００）からＦＡＸ送信し、また郵便や宅急便で送ってもよい。
【００２９】
００２８の「書面の種別に関する情報」とは、たとえば、送信しようとする書面が不動産物件情報の場合は、当該不動産の所在、種類、金額に関する情報などである。
００２８の「文字によって記述する」とは、例えば、送信用紙の余白に、書面の種別に関する情報（当該不動産の所在、種類、金額に関する情報）を、あらかじめ決められたコード番号で記載する。
「あらかじめ決められたコード番号で所在を記載する」とは、例えば「東京都千代田区千代田」ならば「１０００００１」と郵便番号で記入してもよい。
「あらかじめ決められたコード番号で種類を記載する」とは、例えば売買ならば「０１」、賃貸ならば「０２」と決めておき、適当なコード番号を記入する。また、間取りなどはもともと「２ＬＤＫ」などとコード化されており、これをそのまま記入しても良い。
「あらかじめ決められたコード番号で金額を記入する」とは、例えば「５万以下」の物件ならば「０１」、「１０万以下」の物件ならば「０２」と決めておき、記入する。また、たとえば、金額をそのまま「８００００」などと記入する。
そして、あらかじめ決められたコード番号で当該不動産物件の種別に関する情報を記入する場合、たとえば、「東京都千代田区千代田」の「賃貸」の「１０万円以下」の物件なら、「１０００００１  ０２  ０２」などと続けて記入してもよい。
【００３０】
００２８の「マークによって記述する」とは、たとえば、あらかじめ送信用紙の余白に印刷されたマークシート記入欄に、所在、種類、金額をマークする方式で記入する。
「マークシート記入欄にマークする方式で所在を記入する」とは、例えばマークシートの「東京都」の欄と「千代田区」の欄と「千代田」の欄にチェックする。
「マークシート記入欄にマークする方式で種類を記入する」とは、例えばマークシートの「売買」と「賃貸」の欄のうち、該当する方をチェックする。
「マークシート記入欄にマークする方式で金額を記入する」とは、例えばマークシートの「１０万以下」の物件の欄にチェックする。
【００３１】
また、４００１、５００１、６００１の送信処理で、送信しようとする書面が、商品の写真の場合は、余白または写真の中に、当該商品の金額など種別に関する情報を記載してもよい。
具体的には、金額や電話番号など当該商品の種別に関する情報を記載したプレートなどを商品と一緒に写真に撮り、写真の中に、当該商品の金額など種別に関する情報を記載してもよい。
この方法は、あとから商品の写真に金額などの情報を記入する場合よりも、記入ミスが発生しにくい点で有利である。
情報を記入するプレートにホワイトボードを使用すれば、何度も消して使うことができて経済的である。また、黒板は、撮影の際に反射しにくく見やすく、独特の味わいがあってよい場合もある。電光表示板などを使用すれば、書いたり消したりする手間を少なくすることができる。また、あらかじめマグネットシートで数字等を作り、これを組み合わせて鉄板に貼り付けることで、金額等を表示しても良い。
【００３２】
４００１、５００１の送信処理に際して、送信側は、ダイヤルキーを使用してプッシュ信号を発することにより、書面の種別に関する情報を受信側に知らせてもよい。
すなわち、受信側パソコン（１２００）また受信側ＷＥＢサーバ（２３００）に、ＣＴＩソフトウェアを備え、４００２、５００２の受信処理に際して、ＣＴＩソフトウェアが送信側の発したプッシュ信号を確認することで、送信書面の種別を判別できるようにしてもよい。
具体的には、書面のＦＡＸ送信（４００１、５００１）に際して、送信側は、まずＦＡＸ番号をたとえば「０００−０００−００００」とプッシュまたはダイヤルする。
回線がつながったら、送信側は、送信する書面の種別に関する情報を、たとえば「１０００００１  ０２  ０２」といったように、プッシュ信号を発することで伝える。
ＣＴＩソフトウェアは、この「１０００００１  ０２  ０２」というプッシュ信号を確認して、送信される書面が「東京都千代田区千代田の賃貸の１０万円以下の物件」に関するものである（００２９）と判別する。
【００３３】
また、４００１、５００１、６００１の送信処理について、送信書面の種別によってＦＡＸ先の番号を変えるようにしてもよい。すなわち、例えば、「戸建」は０００−０００−００１０に、「賃貸」は０００−０００−００２０にＦＡＸ送信してもらうようにしてもよい。
このようにすることにより、０００−０００−００１０には常に「戸建」に関する書面が送信されることになり、同番号に届いた書面画像は、常に「戸建」ディレクトリに保存してもよい。
図３の形式で送信する場合（００２６）は、ＦＡＸ番号を複数用意することが容易なため、特にこの方法が効果的である場合がある。
【００３４】
受信側パソコン（１２００）が備えるＦＡＸ受信ソフトウェア（１２１１）と画像アップロードソフトウェア（１２２１）は、別個であっても一体であってもよい。そして、受信側の受信処理（４００２）と保存処理（４００３）は、それぞれ人手によっておこなわれてもよいし、自動的に連続して行われてもよい。すなわち、ＦＡＸ受信ソフトウェア（１２１１）が書面を受信すると、自動的に画像アップロードソフトウェア（１２２１）がアップロードしてもよい。
【００３５】
受信側ＷＥＢサーバ（２３００）が備えるＦＡＸ受信ソフトウェア（２３１１）と画像保存ソフトウェア（２３２１）は、別個であっても一体であってもよい。そして、受信側の受信処理（５００２）と保存処理（５００３）は、それぞれ人手によっておこなわれてもよいし、自動的に連続して行われてもよい。すなわち、受信側ＷＥＢサーバ（２３００）が備えるＦＡＸ受信ソフトウェア（２３１１）が、ＦＡＸ受信したときは、画像保存ソフトウェア（２３２１）が自動的に保存してもよい。
【００３６】
受信側パソコン（３２００）が備える電子メール受信ソフトウェア（３２１１）と画像アップロードソフトウェア（３２２１）とは、別個であっても一体であってもよい。そして、受信側の受信処理（６００３）と保存処理（６００４）は、それぞれ人手によっておこなわれてもよいし、自動的に連続して行われてもよい。なわち、電子メール受信ソフトウェア（３２１１）が書面を受信すると、自動的に画像アップロードソフトウェア（３２２１）がアップロードしてもよい。
【００３７】
４００３、５００３、６００４の保存処理に関して、受信画像データを、テキストデータやＨＴＭＬ等に変換せずに、また、画像の説明文を記したＨＴＭＬファイル等も付属せずにそのままアップロードまた保存すると、保存画像が増えるに従って、閲覧者が目的の情報の記載された画像を見つけるのが難しくなる。そこで以下のような方法で、閲覧者が目的の画像を探すことを容易にする。
第一に、ＷＥＢサーバ（１３００、３３００）また受信側ＷＥＢサーバ（２３００）に、複数のディレクトリを作り、画像の種別ごとに別々のディレクトリに保存してもよい。
第二に、４００３、５００３、６００４の保存処理に際して、画像の種別を示す名前をファイル名としてつけて保存してもよい。
第三に、ＷＥＢサーバ（１３００、３３００）また受信側ＷＥＢサーバ（２３００）に、画像保存用のデータベースを備え、画像を該当するカテゴリーに登録してもよい。また、画像をデータベースに登録する際は、種別情報をインデックスとして登録してもよい。
【００３８】
４００２、５００２、６００３の受信処理で受信した画像に、書面の種別に関する情報が、文字またマークにより記述されている場合（００２８）、４００３、５００３、６００４の保存処理において、この書面の種別に関する情報を確認することで、保存するディレクトリ、また、登録するカテゴリーを変更してもよい。
【００３９】
００３８の「書面の種別に関する情報を確認して保存するディレクトリや登録するカテゴリーを変更する」作業は、手作業でおこなってもよいし、自動でおこなうようにしてもよい。
具体的には、受信側パソコン（１２００、３２００）が、ＯＣＲやＯＭＲ等のソフトウェアを備え、ＯＣＲやＯＭＲ等のソフトウェアが、受信画像上に記載された種別情報を確認して、この確認結果に基づいて、画像アップロードソフトウェア（１２２１、３２２１）が、この書面画像を、該当するディレクトリやデータベースのカテゴリーにアップロードまた登録するようにしてもよい。
また、受信側ＷＥＢサーバ（２３００）が、ＯＣＲやＯＭＲ等のソフトウェアを備え、ＯＣＲやＯＭＲ等のソフトウェアが、受信画像上に記載された種別情報を確認して、この確認結果に基づいて、画像保存ソフトウェア（２３２１）が、この書面画像を、該当するディレクトリやデータベースのカテゴリーに保存また登録するようにしてもよい。
これらの処理は、手作業によって行ってもよいし、ソフトウェアにより自動的に行ってもよい。
【００４０】
受信側パソコン（１１００）また受信側ＷＥＢサーバ（２３００）が、ＣＴＩソフトウェアを備え、４００２、５００２の受信処理に際して、ＣＴＩソフトウェアがプッシュ信号を確認することによって、書面の種別を判別した場合（００３２）、このＣＴＩ情報をもとに、受信側パソコン（１１００）において、画像アップロードソフトウェア（１２２１）が該当するディレクトリやカテゴリーにアップロードまた登録するようにしてもよい。また、受信側ＷＥＢサーバ（２３００）において、画像保存ソフトウェア（２３２１）が該当するディレクトリやカテゴリーに保存また登録するようにしてもよい。
この処理は、手作業によって行ってもよいし、ソフトウェアにより自動的に行ってもよい。
【００４１】
また、４００１、５００１、６００１の送信処理において、送信書面の種別によってＦＡＸ番号を変えるようにした場合（００３３）、例えば、「戸建」用の０００−０００−００１０に送信された画像は「戸建」用のディレクトリやカテゴリーに、「賃貸」用の０００−０００−００２０に送信された画像は「賃貸」用のディレクトリやカテゴリーに、アップロードまた保存また登録されるようにしても良い。
この処理は、手作業によって行ってもよいし、ソフトウェアにより自動的に行ってもよい。
【００４２】
４００３、６００４の保存処理で使用する、画像アップロードソフトウェア（１２２１、３２２１）とは、ＦＴＰソフトウェアなどであってよい。
書面画像をデータベースに登録する場合（００３７）、４００３、６００４の保存処理で使用する、画像アップロードソフトウェア（１２２１、３２２１）また画像保存ソフトウェア（２３２１）とは、たとえば画像をＷＥＢデータベース登録するフォーム等であってもよい。
【００４３】
ところで、４００３、５００３、６００４の保存処理で、受信画像をそのまま保存しようとすると、サイズが大きくなりすぎて、サーバ（１３００、２３００、３３００）スペースを圧迫し、また、ＷＥＢブラウザで閲覧しようとする場合に、スムーズに表示されない危険がある。
そのため、受信側パソコン（１２００、３２００）また受信側ＷＥＢサーバ（２３００）が画像変換ソフトウェアを備え、４００３、５００３、６００４の保存処理に際して、画像のサイズを変換し、またＧＩＦやＪＰＥＧ等の形式に変換してもよい。
この変換は、手作業によって行ってもよいし、ソフトウェアにより自動的に行ってもよい。
そして、画像アップロードソフトウェア（１２２１、３２２１）また画像保存ソフトウェア（２３２１）と、ＦＡＸ受信ソフトウェア（１２１１、２３１１）また電子メール受信ソフトウェア（３２１１）と、画像変換ソフトウェアとは、一体であってもよい。そしてＦＡＸ受信ソフトウェア（１２１１、２３１１）また電子メール受信ソフトウェア（３２１１）が受信したＦＡＸ画像を、画像変換ソフトウェアが自動的にＷＥＢ用に変換し、画像アップロードソフトウェア（１２２１、３２２１）がアップロードし、また画像保存ソフトウェア（２３２１）が保存してもよい。
【００４４】
保存先（１３００、２３００、３３００）に保存された画像を表示するためのページを用意してもよい。そして、閲覧者は、直接個々の画像にアクセスせずに、この画像閲覧用ページにアクセスすることにより、目的の画像を効率よく見つけることができるようにしてもよい。
具体的には、各ディレクトリへのリンクメニューページを用意してもよい。そして、このリンクメニューをクリックした場合、当該ディレクトリ内の画像を表示するためのページが開くようにしてもよい。
この「画像を表示するためのページ」とは、特定のディレクトリ内に保存された画像を一覧表示するものであってもよい。例えば、複数の画像がサムネイル表示され、見たい画像をクリックすると拡大表示されるようにしてもよい。また、ディレクトリ内の複数の画像を、一枚ずつ表示するものであってもよい。具体的には、ボタン等をクリックすると、ディレクトリ内の画像を順番に表示できるようにしてもよい。ちなみに、この「順番」とは、ファイル名の順番であってもよい。
すべての画像を表示し終えた場合にはその旨を表示し、または最初の画像に戻って再度表示することを可能にしてもよい。
この機能は、ＨＴＭＬファイル内に書かれたスクリプトプログラムで実現されてもよいし、サーバサイドプログラムによって実現されてもよい。
【００４５】
そして「画像を表示するためのページ」を利用して書面画像を閲覧する場合（００４４）は、たとえば、４００３、５００３、６００４の保存処理に際して、ＷＥＢサーバ（１３００、３３００）また受信側ＷＥＢサーバ（２３００）上に、複数のディレクトリを作り、画像の種別ごとに別々のディレクトリに保存する（００３７）。
【００４６】
また、４００３、５００３、６００４の保存処理に際して、書面画像に画像の種別を示すファイル名をつけて保存した場合（００３７）は、保存ディレクトリから、特定の文字を含むファイル名の画像のみ抽出して表示するページを設置してもよい。
閲覧者は、この「特定の文字を含むファイル各の画像のみ抽出して表示するページ」にアクセスして、見たい画像の種別を指定すると、ディレクトリの中から、該当する文字をファイル名に含む画像のみ抽出して表示してもよい。このとき、画像を一覧表示してもよいし、一枚ずつ順番に表示してもよい。
この機能は、ＨＴＭＬファイル内に書かれたスクリプトプログラムで実現されてもよいし、サーバサイドプログラムによって実現されてもよい。
【００４７】
４００３、５００３、６００４の保存処理に際して、ＷＥＢサーバ（１３００、３３００）また受信側ＷＥＢサーバ（２３００）に、画像保存用のデータベースを備え、画像を該当するカテゴリーに登録した場合（００３７）は、たとえば種別情報をインデックスとして、データベースから目的の画像を抽出して表示できるページを設置してもよい。
【００４８】
ところで、ＣＡＤで作成された外観また内観の３次元コンピューターグラフィックを静止画または動画としてキャプチャーし、このファイルをＷＥＢサーバに保存して、ＷＥＢコンテンツとしてもよい。
「ＣＡＤで作成された外観また内観の３次元コンピューターグラフィックを静止画または動画としてキャプチャーしたファイル」とは、たとえば、ＣＡＤで建物の外観また内観の３次元コンピューターグラフィックを作成し、これをパソコンで再生し、その画像をスクリーンキャプチャソフトウェアで録画し、ＷＥＢで再生可能な形式の静止画像または動画のファイルとして保存したものであってよい。
また、ＣＡＤで作成されたコンピューターグラフィックから、細かい記載を削除し、ペーパークラフト展開図を作成してもよい。さらに、このペーパークラフト展開図をＷＥＢ上で公開し、閲覧者が印刷して切り取って組み立てられるようにしてもよい。立体的になれば、写真などでみるより、分かりやすい場合がある。
【００４９】
また、ネットショップなどでは、店長の顔写真などを掲載すると、顧客の安心感が増し、効果的である。しかし、プライバシーの観点から、忌避する者も多い。
そこで、肖像写真をそのまま掲載するのでなく、手書きの肖像画を掲載するとよい。ところが、手作業で肖像画を描くのは、かなりの手間と技術を要する。そこで、肖像写真を画像編集ソフトで絵画調に加工した上で、これをそのまま掲載すれば、技術のない者でも簡単に肖像画を作成できる。
絵画調に加工するとは、人物の肖像写真を、たとえば、画像編集ソフトなどを使用して、油絵風、水彩画風、色鉛筆風、テンペラ風、印象派風、パステル風、ブラッシュ風、アメコミ風、木版画風、屏風絵風、水墨画風、モザイク風、書画風に編集したものである。
【００５０】
さらに、ネットショップなどは、注文などに用いる入力フォームを備えるが、入力初心者がキーボードを使用して入力フォームに氏名や住所などを入力することは難しい場合がある。
そこで、入力フォーム画面に、「あ」から「ん」、「Ａ」から「Ｚ」、「１」から「０」までのボタン、また「文字を小さくする」「変換」等のボタンを備え、これらのボタンをクリックすることで、入力フォームに文字を入力できるようにすると便利である。
【００５１】
ちなみに、キーボードやパソコンの使用方法、ＷＥＢコンテンツの作成更新方法について、学習ソフトウェアや動画などで自習することも可能であったが、パソコン操作に慣れていない者にとっては、学習ソフトをインストールしたり動画再生ソフトをダウンロードしたりすることは難しい。さらに、インターネットテレビ電話等で通話時間を気にせずサポートをうけながら学習することも可能であったが、パソコン操作に慣れていない者にとっては、インターネット電話をセッティングすることはさらに難しい。
そこで、たとえば学習ソフトウェアや動画などをあらかじめパソコンにインストールし、また必要なならば、（パソコンにマイクやカメラを接続し）パソコンを起動すると学習ソフトウェアや動画やカメラが自動的に起動するようにセッティングした状態で、練習用にパソコンを貸し出すとよい。これにより、初心者でも簡単に、自宅などでインターネットテレビ電話でサポートを受けながらパソコン操作やＷＥＢページの作成更新方法を修得できる。
ＷＥＢコンテンツの更新は、文字の入力が中心となるため、「学習ソフトウェアや動画」は、たとえば（ＷＥＢページの作成更新にかかわる教材に限られず）入力技術の向上を目的とした教材であってよい。
「自動的に起動する」とは、具体的には、たとえば、学習ソフトウェアなどをスタートメニューに登録することで実現可能である。また、自動的に起動するのではなく、たとえば学習ソフトウェアなどへのショートカットをディスプレイ上に設置し、たとえばランチャーに配置するなど、簡単に起動できるようにしてもよい。
学習ソフトなどをインストールして貸し出すパソコンは、中古などであってもよい。また、ケーブルの接続などの作業が不要なことなどから、ノートパソコンのほうが便利である。デスクトップパソコンの場合には、どのケーブルをどこに挿すか印をつけておくとよい。
また、インターネット接続なども、あらかじめ設定した上で貸し出すとよい。
【００５２】
また、たとえば、生徒に複数のＷＥＢコンテンツのデザインテンプレートを提示し、この中から気に入ったものを選んでもらい、その修正方法を指導することにより、指導の効率化をはかってもよい。この方法で指導を行えば、ＨＴＭＬの基本から教えなくても、生徒は短時間で実用可能なＷＥＢコンテンツを作成することができる。
【００５３】
また、表示装置に表示された文字（７００１）に対応した文字の入力を要求する教授方法で、表示装置に文字が表示される際に、音声を再生してもよい。
そして、例えば、表示文字が、キーボード中心に近い場合（７００２）は大きな音を、キーボード端になるにつれて（７００３、７００４、７００５）小さな音を再生してもよい。また、キーボード上段（７００６）の文字は高音、キーボード下段（７００７）の文字は低音を再生してもよい。また、右手のキー（７００８）は右のスピーカーから、左手のキー（７００９）は左のスピーカーから再生することで、キーの位置を知らせるようにしてもよい。（これらは反対であってもよい。）
また、表示装置に表示された文字（８００１）に対応した文字の入力を要求する教授方法で、誤った入力があった場合に、音声を再生してもよい。
そして、例えば、正しいキー（８００２）またこれに近いキー（８００３）が押された場合には大きな音を、正しいキーから離れるにしたがって（８００４、８００５）小さな音を再生してもよい。また、正しいキーの位置が、押したキーより上段の場合は高音、下段の場合は低音を再生してもよい。また、正しいキーの位置が、押したキーより右の場合は右のスピーカーから、左の場合は左のスピーカーから再生してもよい。（これらは反対であってもよい。）
視覚だけでなく聴覚を効果的に使用することで、より短時間で上達が可能である。
【００５４】
従来、市販されてきた教材ビデオ等も、「ホームページ初級」「ホームページ中級」といったように学習者のレベルに合わせて複数種類用意されることがあった。
しかし、たとえば「ホームページ初級」は「ホームページの作成方法の説明」、「ホームページ中級」は「ホームページのアップロード方法の説明」といった具合に、学習範囲が異なるだけであり、同じ「ホームページの作成方法の説明」について、初心者にはやさしく、中級者には要約して説明するものはなかった。
そこで、同じ内容について、難易度の異なる説明文また画像を数種用意し、閲覧者のレベルによって表示する文また画像を変更してもよい。たとえば、同じ内容について、初級者には、専門用語を使用せずあるいは用語に説明を加えながら説明し（９００１）、中級者にはこのような説明を省いたもの（９００２）を用意してもよい。
また、説明は同じでも、初級者用には、「エンターキーとは一番右にある大きなキーです。」といったような用語説明を字幕等で表示してもよい。
学習者のレベルは、学習進度に伴い、そのつど診断してもよい。すなわち、最初に、スキル診断を行い、初級と判断された場合は、第一章について初級者用の画面を表示しまたはビデオを再生し、また初級者用に用語説明の字幕を表示して画面を表示しまたはビデオを再生してもよい。そして、再生が終わったら、再度診断を行い、中級と判断されたときは、第２章について、今度は中級者用の画面を表示しまたはビデオを再生し、また中級者用に用語説明の字幕を表示せずに画面を表示しまたはビデオを再生してもよい。また、スキルレベルによって、一部の画面の表示やビデオの再生を省略してもよい。
これらの診断や表示また再生などの処理は、コンピュータ上で、プログラムにより自動的に実行してもよい。すなわち、たとえば、まず、スキル診断画面を表示し、学習者に入力してもらい、この入力内容について判断する。その結果、初級と判断される場合は、第一章について初級者用の説明画面を表示する。そして、説明画面の表示が終わったら、再度、スキル診断画面を表示し、学習者に入力してもらい、この入力内容について診断する。その結果、中級と判断されたときは、第２章について、今度は中級者用の説明画面を表示してもよい。
この方法は、ＷＥＢページの作成更新法やコンピュータの操作法などの教授に限らず、あらゆる教科や内容の教授について応用可能である。
【図面の簡単な説明】
【００５５】
【図１】本発明の１実施例の構成図であるである。
【図２】本発明の１実施例の構成図であるである。
【図３】本発明の１実施例の構成図であるである。
【図４】本発明の１実施例の工程図であるである。
【図５】本発明の１実施例の工程図であるである。
【図６】本発明の１実施例の工程図であるである。
【図７】本発明の１実施例の操作教授方法による教授の画面図である。
【図８】本発明の１実施例の操作教授方法による教授の画面図である。
【図９】本発明の１実施例の操作教授方法による教授の画面図である。
【符号の説明】
【００５６】
１１００  送信側ＦＡＸ送信機器
１２００  受信側パソコン
１２１１  ＦＡＸ受信ソフトウェア
１２１２  ＦＡＸモデム
１２２１  画像アップロードソフトウェア
１３００  ＷＥＢサーバ
２１００  送信側ＦＡＸ送信機器
２３００  受信側ＷＥＢサーバ
２３１１  ＦＡＸ受信ソフトウェア
２３１２  ＦＡＸモデム
３１００  送信側ＦＡＸ送信機器
３１１０  ＦＡＸサーバ
３２００  受信側パソコン
３２１１  電子メール受信ソフトウェア
３２２１  画像アップロードソフトウェア
３３００  ＷＥＢサーバ
４００１  送信処理
４００２  受信処理
４００３  保存処理
５００１  送信処理
５００２  受信処理
５００３  保存処理
６００１  送信処理
６００２  再送信処理
６００３  受信処理
６００４  保存処理
７００１  学習者に入力を要求する文字
７００２  中心に近いキー
７００３  やや端のキー
７００４  さらに端のキー
７００５  最も端のキー
７００６  上段のキー
７００７  下段のキー
７００８  右手のキー
７００９  左手のキー
８００１  学習者に入力を要求する文字
８００２  正しいキー
８００３  正しいキーに近いキー
８００４  正しいキーから少し離れたキー
８００５  正しいキーからさらに離れたキー
９００１  初級者用説明画面
９００２  中級者用説明画面
【図１】
2009105781.tif 000003
【図２】
2009105781.tif 000004
【図３】
2009105781.tif 000005
【図４】
2009105781.tif 000006
【図５】
2009105781.tif 000007
【図６】
2009105781.tif 000008
【図７】
2009105781.tif 000009
【図８】
2009105781.tif 000010
【図９】
2009105781.tif 000011